(57)【要約】【課題】電気製品の電気使用量を効果的に低減させることが可能な電気使用量低減部材を提供する。【解決手段】電気製品２０の電気使用量を低減させる電気使用量低減部材１であって、内部に、粒子径が０．１μｍ〜１０００μｍの範囲内であるラジウム鉱石の微粒子１０のみを充填した小型で薄肉の密封容器１１からなり、前記密封容器１１の所定の外表面１１Ｓが、前記電気製品２０に電流を供給する電線２１の外装２２の外表面２２Ｓに固定されることを特徴とする電気使用量低減部材１を提供する。【選択図】図１
0003180807.tif 000002
【実用新案登録請求の範囲】
【請求項１】
電気製品の電気使用量を低減させる電気使用量低減部材であって、
内部に、粒子径が０．１μｍ〜１０００μｍの範囲内であるラジウム鉱石の微粒子のみを充填した小型で薄肉の密封容器からなり、
前記密封容器の所定の外表面が、前記電気製品に電流を供給する電線の外装の外表面に固定されることを特徴とする電気使用量低減部材。
【請求項２】
前記密封容器の所定の外表面の厚みが、前記密封容器の他の外表面の厚みよりも薄い
請求項１に記載の電気使用量低減部材。
【請求項３】
前記密封容器の所定の外表面から発生するマイナスイオンの数が、１００００個／ｃｃ以上である
請求項１又は２に記載の電気使用量低減部材。
【請求項４】
前記電線の外装が、ブレーカである
請求項１〜３のいずれか一項に記載の電気使用量低減部材。
【考案の詳細な説明】
【技術分野】
【０００１】
本考案は、電気使用量低減部材に関し、詳しくは、電気製品の電気使用量を効果的に低減させることが可能な電気使用量低減部材に関する。
【背景技術】
【０００２】
従来より、電流（電気、電力）をエネルギー源としたテレビジョン受像機、冷凍庫、冷蔵庫、揚げ物機、照明器具、エアコン等の各種の電気製品（電気器具類）が存在している。前記電気製品は、通常、種類に応じて予め定められた使用方法により使用されている。
【０００３】
ここで、前記電気製品は、製造時の製品構造や性能を変えることなく、それらを保持した状態で使用されることから、前記電気製品の使用に要する電源電圧が使用時に製造時と同一の条件である場合、前記電気製品に流れる（消費される）電流は、製造段階で計算された結果通りになる。
【０００４】
しかしながら、ユーザが、使用時において前記電気製品のエネルギー効率を向上させたい場合に、前記電気製品を改良、改善しない限り、一般的に市販されている前記電気製品のエネルギー効率を改善させる手段が無いという問題があった。
【０００５】
前記問題を解決するために、例えば、特開２０１２−１１０８３７号公報（特許文献１）には、配電盤ブレーカ及び漏電遮断機と、電気器具のコードの各位置に貼着される厚さ寸法１〜３ミリメートル、表面積９〜４００平方センチメートルの可撓性貼着シートが、電流を増幅する環境改善シートとして開示されている。ここで、前記可撓性貼着シートは、天然鉱石パウダーと合成ゴム・合成樹脂材料との混錬物で構成されている。又、前記天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成されている。更に、前記合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されている。これにより、可撓性貼着シートから発せられる微量放射線、マイナスイオン、遠赤外線、黒体放射、テラヘルツ放射などの放射エネルギー（光量子エネルギー）により、目的とする電気機器類の電気抵抗値が低減され、電気伝導率が高まることで電流が増幅し、電気機器類は機能が高められ、省エネにつながるとしている。
【０００６】
又、特開２００７−８０８０５号公報（特許文献２）には、自動車、電気製品（部品）等の使用時にアース電位となるべき部位に塗布、密着又は混入されるマイナスイオン発生物質（トルマリン鉱石の粉末など）が開示されている。これにより、自動車においては、動力（エンジン・モーター）性能の向上、燃費性能の向上、バッテリー性能の向上、音響製品の音質の改善、静粛性の向上、より滑らかなサスペンション性能が得られるとしている。又、電気製品においては、雑音の低下及び各種性能の向上、電気使用量（電気消費量）の低下などが得られるとしている。
【先行技術文献】
【特許文献】
【０００７】
【特許文献１】特開２０１２−１１０８３７号公報
【特許文献２】特開２００７−８０８０５号公報
【考案の概要】
【考案が解決しようとする課題】
【０００８】
しかしながら、上述した特許文献１、２に記載の技術では、使用条件によって効果にばらつきがあったり、十分な効果が得られなかったりする問題があった。又、上述のように、前記電気製品の電気使用量の低下には、マイナスイオンの照射が有効であることが知られてきているものの、より効果的に電気使用量を低下させるためには、どのような構成が良いのか未だ不明であるという問題がある。
【０００９】
そこで、本考案は、前記問題を解決するためになされたものであり、電気製品の電気使用量を効果的に低減させることが可能な電気使用量低減部材を提供することを目的とする。
【課題を解決するための手段】
【００１０】
本考案者は、鋭意研究を重ねた結果、本考案に係る新規な電気使用量低減部材を完成させた。
【００１１】
本考案に係る電気消費量低減部材は、内部に、粒子径が０．１μｍ〜１０００μｍの範囲内であるラジウム鉱石の微粒子のみを充填した小型で薄肉の密封容器からなり、前記密封容器の所定の外表面が、前記電気製品に電流を供給する電線の外装の外表面に固定されることを特徴とする。
【００１２】
又、前記密封容器の所定の外表面の厚みが、前記密封容器の他の外表面の厚みよりも薄い構成とすることが出来る。
【００１３】
又、前記密封容器の所定の外表面から発生するマイナスイオンの数が、１００００個／ｃｃ以上である構成とすることが出来る。
【００１４】
又、前記電線の外装が、ブレーカである構成とすることが出来る。
【考案の効果】
【００１５】
本考案に係る電気使用量低減部材によれば、電気製品の電気使用量を効果的に低減させることが可能となる。
【図面の簡単な説明】
【００１６】
【図１】本考案に係る電気使用量低減部材の斜視図である。
【図２】本考案に係る電気使用量低減部材のＡ−Ａ線断面正面図と、Ｂ−Ｂ線断面平面図である。
【図３】本考案に係る電気使用量低減部材の固定状態とその作用効果の一例を示す図である。
【図４】本考案に係る電気使用量低減部材の固定形態の一例を示す図である。
【考案を実施するための形態】
【００１７】
以下に、添付図面を参照して、本考案に係る電気使用量低減部材の実施形態について説明し、本考案の理解に供する。尚、以下の実施形態は、本考案を具体化した一例であって、本考案の技術的範囲を限定する性格のものではない。
【００１８】
＜電気使用量低減部材＞
本考案に係る電気使用量低減部材は、電気製品の電気使用量を低減させる電気使用量低減部材１であって、図１、図２に示すように、内部に、粒子径が０．１μｍ〜１０００μｍの範囲内であるラジウム鉱石の微粒子１０のみを充填した小型で薄肉の密封容器１１からなり、前記密封容器１１の所定の外表面１１Ｓが、前記電気製品２０に電流を供給（流す）電線２１の外装２２の外表面２２Ｓに固定（設置）されることを特徴とする。
【００１９】
これにより、ラジウム鉱石の微粒子１０から発生する多量のマイナスイオンを、外装２２の外表面２２Ｓを介して電線２１に照射させて、前記電気製品２０の電気使用量（消費電力量）を効果的に低減させることが可能となる。
【００２０】
即ち、前記電線２１に電流を流して電気製品２０を使用すると、図３に示すように、当該電線２１の周辺に定常的に微弱な静電気が発生する。この静電気が電線２１の周辺に蓄積すると、当該電線２１の内部に流れる電流の一方向の流れを阻害し、当該電線２１の見かけの電気抵抗値を増加させる。
【００２１】
そこで、本考案では、前記電線２１に多量のマイナスイオンを照射することで、当該電線２１の周辺に存在する静電気を中和し、当該静電気による電気抵抗値の増加を除去する。これにより、前記電線２１に流れる電流の流れを円滑にして当該電流を強化し、結果として前記電気製品２０全体における電気使用量を低減させることが可能となる。
【００２２】
更に、本考案では、マイナスイオンを発生させるために、上述した範囲内の粒子径であるラジウム鉱石の微粒子１０（パウダー、紛体）のみを用いており、大きな粗目状のラジウム鉱石の粒子を用いておらず、更に、マイナスイオンを発生させる他の鉱石（トルマリン、備長炭等）を全く混合していない。そのため、前記ラジウム鉱石の微粒子１０の本来のマイナスイオンの発生能力を活かして、多量のマイナスイオンを発生させ、それを前記電線２１に照射させることが可能となる。その結果、前記電気製品２０の電気使用量を効果的に低減することが可能となるのである。
【００２３】
そして、本考案では、前記電気使用量低減部材１を前記電線２１の外装２２に外付けで装着させれば、前記電気製品２０の電気使用量を低減させることが出来ることから、ユーザは、前記電気製品２０を改造、改良することなく、手軽に当該電気製品２０のエネルギー効率を向上させることが可能となる。
【００２４】
ここで、前記ラジウム鉱石の微粒子１０の粒子径は、０．１μｍ〜１０００μｍの範囲内であれば、全て同等であっても、不同等（不均一）であっても構わない。例えば、前記ラジウム鉱石の微粒子１０は、全体として０．１μｍの粒子径に偏っていても、１０００μｍの粒子径に偏っていても、全体として０．１μｍ〜１０００μｍの範囲内の粒子径がほぼ均等に含まれていても良い。前記ラジウム鉱石の微粒子１０は、０．１μｍ〜１０００μｍの範囲内の粒子径であるため、パウダーや粉体に近いことになる。尚、前記ラジウム鉱石の微粒子１０の粒子径を、厳密に上述の範囲内に収めることが出来ない場合もあるため、前記粒子径を平均粒子径として把握しても構わない。
【００２５】
一方、前記ラジウム鉱石の粒子の粒子径が０．１μｍ未満の場合や１０００μｍを越える場合、当該ラジウム鉱石からのマイナスイオンの発生を促進出来ない場合があり、好ましくない。特に、粒子径が０．１μｍ未満のラジウム鉱石の微粒子では、微小過ぎて電気使用量低減部材を適切に作成出来ない場合がある。又、前記ラジウム鉱石の粒子に他の異なる鉱石（マイナスイオン発生物質）を混合した場合、前記ラジウム鉱石と他の鉱石とが打ち消し合って全体としてマイナスイオンの数が少量となる場合があり、好ましくない。
【００２６】
又、前記密封容器１１は、薄肉（構造）であれば、本発明の目的を阻害しない限り、特に限定は無い。ここで、前記密封容器１１が薄肉であるとは、前記密封容器１１を形成する（内面から外面までの）壁の厚みが薄いことを意味し、前記ラジウム鉱石の微粒子１０から発生されるマイナスイオンが透過可能な厚みであることを意味する。前記密封容器１１を形成する壁の厚みとして、例えば、０．１ｍｍ〜２．０ｍｍの範囲内であることが好ましく、０．１ｍｍ〜１．０ｍｍの範囲内であることが更に好ましい。
【００２７】
ここで、前記電線２１の外装２２の外表面２２Ｓに当接される前記密封容器１１の所定の外表面１１Ｓの（内面から外面までの壁の）厚みは、本発明の目的を阻害しない限り、特に限定は無い。前記密封容器１１の所定の外表面１１Ｓの厚みは、例えば、前記密封容器１１の他の外表面の厚みよりも薄い構成であると好ましい。言い換えると、前記密封容器１１の他の外表面の厚みは、当該密封容器１１の所定の外表面１１Ｓの厚みよりも厚い構成である。図１、図２に示す電気使用量低減部材１では、前記密封容器１１の所定の外表面１１Ｓを底面とし、前記密封容器１１の他の外表面を側面、平面として、前記密封容器１１の底面の厚みを、前記密封容器１１の側面、平面の厚みよりも薄く構成している。
【００２８】
このような構成とすると、電気使用量低減部材１のマイナスイオンの照射方向に異方性を持たせ、前記電線２１に照射されるマイナスイオンの数だけ多量にすることが可能となる。ここで、マイナスイオンの数は、適量であれば、周囲に居る人に好影響を及ぼすものの、多量過ぎると、人に悪影響を及ぼす場合がある。一方、マイナスイオンの数は、一般的に、透過する障害物の厚さが厚い程、減少する。そこで、前記電線２１（の外装２２）に対面する密封容器１１の外表面１１Ｓの厚みのみを薄くすることで、当該電線２１のみに多量のマイナスイオンを照射させることが可能となり、周囲の安全性を確保した上で、前記電気製品２０の電気使用量を効果的に低減させることが可能となる。
【００２９】
又、前記密封容器１１の所定の外表面１１Ｓから発生するマイナスイオンの数は、本発明の目的を阻害しない限り、特に限定は無い。ここで、前記電線２１に照射されるマイナスイオンの数が多ければ多い程、当該電線２１の周囲に生じ得る静電気を中和することが出来るため、前記電気製品２０の電気使用量を低減する効果は高くなる。一方、前記ラジウム鉱石であれば、トルマリン等の他の鉱石（マイナスイオン発生物質）と比較して、その種類に寄らず、多量のマイナスイオンを発生するものの、産地等により多種多様である。そこで、前記電気製品２０の電気使用量の低減を確実にし、前記電気使用量低減部材１の品質を確保するためには、前記密封容器１１の所定の外表面１１Ｓから発生するマイナスイオンの数は、１００００個／ｃｃ（ｉｏｎｓ／ｃｍ３）以上であると好ましく、１５０００個／ｃｃ以上であると更に好ましい。
【００３０】
尚、前記密封容器１１の所定の外表面１１Ｓから発生するマイナスイオンの数は、市販の鉱石用マイナスイオン測定器（ＣＯＭ−３０１０ＰＲＯ）の検知部を当該外表面１１Ｓに当てればよい。ここで、前記マイナスイオン測定器は、所定の検知部で空気中のマイナスイオン（マイナス電荷）を持った分子の電流量（μＡ）を検出し、当該検出した電流量（μＡ）に所定の係数を掛けることでマイナスイオンの個数を算出するよう構成される。
【００３１】
又、前記密封容器１１（密閉容器）は、内容物、つまり、ラジウム鉱石の微粒子１０が外部に零れ出ないように密封される容器であれば、特に限定は無い。前記密封容器１１として、例えば、図１、図２に示すように、嵌め合わせ可能な二つの方形（枡形状）で薄肉の容器を用意して、一方の容器を本体部１１ａ、他方の容器をカバー部１１ｂとし、前記本体部１１ａの内部にラジウム鉱石の微粒子１０を充填して、当該本体部１１ａに前記カバー部１１ｂを嵌め合わせて蓋をし、当該本体部１１ａ（の周端部）と当該カバー部１１ｂ（の周端部）との隙間を、瞬間接着剤等の接着剤又は接着テープで全て塞ぐことにより完全密封して、本考案の密封容器１１を構成すれば良い。ここで、前記容器の隙間を塞ぐ場合、当該容器に熱を加える熱融着も想定されるものの、ラジウム鉱石の微粒子１０の品質維持を考慮すると、当該容器に熱を加えない接着剤、接着テープが好ましい。
【００３２】
又、前記密封容器１１の材質は、本発明の目的を阻害しない限り、特に限定は無いが、例えば、製造容易性の観点から、合成樹脂が好ましく、更に、マイナスイオンの透過性に優れるポリメタクリル酸メチル樹脂等のアクリル樹脂が好ましい。又、前記電線２１の外装２２は、その種類により８０度程度まで発熱する場合があるため、前記密封容器１１の材質として、耐熱性の有する合成樹脂が好ましい。更に、本考案に係る電気使用量低減部材１の外観に高級感を付与するために、前記密封容器１１の材質に、例えば、黒色、金色等の所定の色を付した合成樹脂を用いても構わない。
【００３３】
又、前記密封容器１１の大きさは、前記電線２１の外装２２の外表面２２Ｓに固定可能な小型であれば、本発明の目的を阻害しない限り、特に限定は無い。ここで、前記電線２１の外装２２の縦横サイズが数十ｃｍであり、更に、製造し易さとあらゆる電気製品２０への転用し易さとを考慮すると、前記密封容器１１の大きさは、例えば、厚さが０．５ｃｍ〜２．０ｃｍの範囲内であり、縦サイズ（長手方向の寸法）が３．０ｃｍ〜１０．０ｃｍの範囲内であり、横サイズ（短手方向の寸法）が１．０ｃｍ〜５．０ｃｍの範囲内であると好ましい。
【００３４】
又、前記密封容器１１の形状は、本発明の目的を阻害しない限り、特に限定は無いが、前記密封容器１１の形状として、例えば、直方体、立方体、円柱、楕円柱等が挙げられる。
【００３５】
又、前記ラジウム鉱石の種類は、マイナスイオンを発生する能力があるラジウム鉱石であれば、特に限定は無いが、マイナスイオンの発生能力を考慮すると、前記ラジウム鉱石の種類として、例えば、バドガシュタイン鉱石が挙げられる。
【００３６】
又、前記ラジウム鉱石の微粒子１０の形状は、上述したようにパウダー又は紛体であれば、特に限定は無いが、前記ラジウム鉱石の微粒子１０の形状として、例えば、円形、楕円形、多角形等が挙げられる。
【００３７】
又、前記電気製品２０は、電流の供給により駆動する電気製品であれば、特に限定は無く、例えば、エアコン（エアーコンディショナー）、テレビ（テレビジョン受像機）、洗濯機、冷蔵庫、冷凍庫、照明器具、パソコン、携帯電話、タブレット、ノートパソコン、電子レンジ、アイロン、マッサージ装置、電源装置等が挙げられる。又、例えば、前記電気製品２０として、走行装置のガソリン自動車でも電気自動車でも良く、更に、２４時間の小規模店舗（小売店、コンビニエンスストア等）であれば、前記電気製品２０として、大型冷蔵庫、大型冷凍庫、レジ、調理装置等でも構わない。又、ＡＴＭ（Ａｕｔｏｍａｔｅｄ  Ｔｅｌｌｅｒ  Ｍａｃｈｉｎｅ  現金自動預払機）、複合機、複写機、プリンタ、ファクシミリ送受信装置、スキャナ等でも構わない。又、遊具店（パチンコ店等）であれば、前記電気製品２０として、遊具装置（パチンコ）でも良く、交通道路であれば、前記電気製品２０として、自動販売機でも構わない。その他に、家庭用、業務用、工場用等のどのような用途の電気製品２０でも構わない。
【００３８】
又、前記電気製品２０に電流を供給する電線２１は、内部に電流が流れていれば、特に限定は無く、例えば、電線コード、配線用ケーブル、電源用ケーブルでも良く、更に、抵抗、コンデンサ、コイル、ダイオード、半導体素子等の電子部品に含まれる電線でも構わない。又、前記電線２１は、例えば、前記電気製品２０に直接的に電気的に接続されているものでも、コンセント（プラグ受け、差込口）に電気的に接続され、前記電気製品２０に間接的に電気的に接続されているものでも構わない。
【００３９】
又、前記電線２１の外装２２は、本発明の目的を阻害しない限り、特に限定は無く、例えば、電線２１の外表面（カバー）でも良いし、電線２１を保護する（アンペア）ブレーカ、配線用遮断器、電流制限器、漏電遮断器、電源分電盤、前記電気製品２０のＡＣ−ＤＣアダプタ、ＤＣ−ＡＣアダプタ、ＤＣ−ＤＣアダプタ、ＡＣ−ＡＣアダプタ、電源装置等でも構わない。ここで、前記電線２１の外装２２を、家屋の電線２１が集中するブレーカとすると、当該家屋の電気製品２０に電流を供給する電線２１の全てに渡ってマイナスイオンを照射することが可能となり、当該家屋の電気製品２０の全ての電気使用量を効率よく低減出来るため、好ましい。尚、前記ブレーカは、３相−２００Ｖ、単相−１００Ｖでも良く、前記ブレーカの主電源でも副電源でも構わない。
【００４０】
又、前記密封容器１１の所定の外表面１１Ｓを前記外装２２の外表面２２Ｓに固定する方法は、本発明の目的を阻害しない限り、特に限定は無く、例えば、両面テープ、接着剤等の化学的方法でも、ネジやクリップ等の物理的方法でも構わない。
【００４１】
又、前記電気使用量低減部材１を前記電線２１の外装２２に固定する位置は、本発明の目的を阻害しない限り、特に限定は無い。図４に示すように、例えば、前記ブレーカ２２の主電源の外表面に前記電気使用量低減部材１の本体部の底面を固定しても、当該ブレーカ２２の主電源の外側面、副電源の外表面、外側面（点線領域）に固定しても構わない。尚、前記電気使用量低減部材１をブレーカ２２の主電源又は副電源に固定する場合、当該主電源又は副電源のスイッチ、当該主電源又は副電源から延出される電線、当該主電源又は副電源を壁に固定するためのネジ等を阻害しないように固定する。
【００４２】
又、前記電気使用量低減部材１を前記電線２１の外装２２に固定する数は、本発明の目的を阻害しない限り、特に限定は無いが、その数が多ければ多い程、電気使用量を効果的に低減させることが可能である。
【００４３】
＜電気使用量低減部材の製造方法＞
次に、本考案に係る電気使用量低減部材１の製造方法について説明する。
【００４４】
先ず、厚さが０．４ｍｍのアクリル樹脂（黒色に着色されたポリメタクリル酸メチル樹脂）の板を適当な大きさに切断して、図１、図２に示すように、厚さが１．０ｃｍ、縦サイズが７．０ｃｍ、横サイズが３．０ｃｍの方形（枡形状）で薄肉の容器を作成し、本体部１１ａとする。次に、厚さが０．６ｍｍの前記アクリル樹脂の板を適当な大きさに切断し、前記本体部１１ａに嵌合するように、厚さが１．０ｃｍ、縦サイズが７．１ｃｍ、横サイズが３．１ｃｍの方形（枡形状）で薄肉の容器を作成し、カバー部１１ｂとする。
【００４５】
次に、マイナスイオンを発生するラジウム鉱石（バドガシュタイン鉱石）をパウダー状（紛体状）に粉砕して、市販のふるいやフィルターを用いて、粒子径が０．１μｍ〜１０００μｍの範囲内のラジウム鉱石の微粒子１０を用意する。そして、前記ラジウム鉱石の微粒子１０を前記本体部１１ａの内部に隙間なく充填する。
【００４６】
更に、前記本体部１１ａに前記カバー部１１ｂを被せて、全体として直方体の容器とし、前記本体部１１ａと前記カバー部１１ｂとを接着剤（例えば、α-シアノアクリレートを主成分とした接着剤）により固定するとともに、両者の間に生じる隙間を前記接着剤により全て塞いで密封容器１１とする。これにより、本考案に係る電気使用量低減部材１が完成する。
【００４７】
そして、この完成した電気使用量低減部材１を、図４に示すように、家屋のブレーカ２２に持って行き、当該ブレーカ２２の主電源の外表面（の一部）に前記電気使用量低減部材１の本体部の底面を両面テープで固定する。これにより、本考案に係る電気使用量低減部材１の取り付けが完了する。
【００４８】
尚、前記密封容器１１の構成部品である本体部１１ａとカバー部１１ｂは、生産性を向上させるために、例えば、上述の方形に対応する金型を予め用意して、当該金型に前記アクリル樹脂を流し込んで作成するよう構成すると良い。
【００４９】
＜実施例、比較例等＞
以下、実施例、比較例等によって本考案を具体的に説明するが、本考案はこれにより限定されるものではない。
【００５０】
＜実施例１＞
本考案に係る電気使用量低減部材１は、上述した製造方法により製造した。ここで、当該電気使用量低減部材１の本体部１１ａの底面１１Ｓから発生するマイナスイオンの数は、約１５０００個／ｃｃに調整した。そして、電気製品２０である冷蔵庫、洗濯機、テレビ、エアコン、パソコンが設置された（電線２１が集中した）家屋のブレーカ２２の主電源の外表面に本考案に係る電気使用量低減部材１の本体部１１ａの底面１１Ｓを市販の両面テープで固定し、今年（２０１２年）の夏の７月の一か月だけ前記電気製品２０を使用して生活した。その結果、当該生活に要した電気使用量は、前記ブレーカ２２に関するメータにより、２３８ｋＷｈであった。
【００５１】
＜比較例１＞
実施例１と同一の家屋を用いて、当該家屋のブレーカに前記電気使用量低減部材１を固定することなく、去年（２０１１年）の夏の同じ時期（７月）の一か月だけ前記電気製品２０を使用して生活した。その結果、当該生活に要した消費電気量は、前記ブレーカ２２に関するメータにより、３４８ｋＷｈであった。
【００５２】
＜実施例２＞
実施例１と同一の電気使用量低減部材１を用い、又、実施例１と同一の家屋を用いた。当該家屋のブレーカ２２の副電源の外表面に前記電気使用量低減部材１の本体部１１ａの底面１１Ｓを市販の両面テープで固定し、今年（２０１２年）の夏の８月の一か月だけ前記電気製品２０を使用して生活した。その結果、当該生活に要した電気使用量は、前記ブレーカ２２に関するメータにより、２８９ｋＷｈであった。
【００５３】
＜比較例２＞
実施例１と同一の家屋を用いて、当該家屋のブレーカ２２に前記電気使用量低減部材１を固定することなく、去年（２０１１年）の夏の同じ時期（８月）の一か月だけ前記電気製品２０を使用して生活した。その結果、当該生活に要した消費電気量は、前記ブレーカ２２に関するメータにより、３４６ｋＷｈであった。
【００５４】
＜実施例３＞
実施例１において本体部１１ａの底面１１Ｓから発生するマイナスイオンの数を約１００００個／ｃｃに調整した電気使用量低減部材１を用い、又、実施例１と同一の家屋を用いた。当該家屋のブレーカ２２の主電源の外表面に前記電気使用量低減部材１の本体部１１ａの底面１１Ｓを市販の両面テープで固定し、今年（２０１２年）の夏の９月の一か月だけ前記電気製品２０を使用して生活した。その結果、当該生活に要した電気使用量は、前記ブレーカ２２に関するメータにより、３３８ｋＷｈであった。
【００５５】
＜比較例３＞
実施例１と同一の家屋を用いて、当該家屋のブレーカ２２に前記電気使用量低減部材１を固定することなく、去年（２０１１年）の夏の同じ時期（９月）の一か月だけ前記電気製品２０を使用して生活した。その結果、当該生活に要した消費電気量は、前記ブレーカ２２に関するメータにより、４２８ｋＷｈであった。
【００５６】
＜実施例４＞
実施例３と同一の電気使用量低減部材１を二つ用い、又、実施例１と同一の家屋を用いた。図４に示すように、当該家屋のブレーカ２２の主電源の外表面に一つ目の電気使用量低減部材１の本体部１１ａの底面１１Ｓを市販の両面テープで固定するとともに、当該ブレーカ２２の副電源の外表面に二つ目の電気使用量低減部材１の本体部１１ａの底面１１Ｓを前記両面テープで固定した。そして、今年（２０１２年）の秋の１０月の一か月だけ前記電気製品２０を使用して生活した。その結果、当該生活に要した電気使用量は、前記ブレーカ２２に関するメータにより、２１８ｋＷｈであった。
【００５７】
＜比較例４＞
実施例１と同一の家屋を用いて、当該家屋のブレーカ２２に前記電気使用量低減部材１を固定することなく、去年（２０１１年）の秋の同じ時期（１０月）の一か月だけ前記電気製品２０を使用して生活した。その結果、当該生活に要した消費電気量は、前記ブレーカ２２に関するメータにより、３０９ｋＷｈであった。
【００５８】
＜参考例１＞
実施例１においてラジウム鉱石の微粒子１０にトルマリンの微粒子を混合して電気使用量低減部材１を作成し、当該電気使用量低減部材１（の本体部１１ａの底面１１Ｓ）から発生するマイナスイオンの数を確認したところ、少量であったため、本考案に係る電気使用量低減部材１として使用出来なかった。
【００５９】
＜参考例２＞
実施例１においてラジウム鉱石の粒子の粒子径を３０００μｍ（３ｍｍ）〜１００００μｍ（１０ｍｍ）の範囲内（粗粒子）とした電気使用量低減部材１を作成し、当該電気使用量低減部材１（の本体部１１ａの底面１１Ｓ）から発生するマイナスイオンの数を確認したところ、少量であったため、本考案に係る電気使用量低減部材１として使用出来なかった。
【００６０】
＜参考例３＞
実施例１においてラジウム鉱石の粒子の粒子径を０．１μｍ未満とした電気使用量低減部材１を作成しようとしたが、微粒子過ぎて充填が上手くいかなかった。又、かろうじて充填して前記電気使用量低減部材１を作成しても、当該電気使用量低減部材１（の本体部１１ａの底面１１Ｓ）から発生するマイナスイオンの数を確認したところ、少量であったため、本考案に係る電気使用量低減部材１として使用出来なかった。
【００６１】
＜比較結果＞
実施例、比較例の間では、１２月間の隔たりがあり、前記電気製品２０の使用時間、頻度等に多少の差異があるものの、実施例１では、比較例１と比較して電気使用量が約３２％低減させており、実施例２では、比較例２と比較して電気使用量が約１７％低減させている。又、実施例３でも、比較例３と比較して電気使用量が約２１％低減させており、マイナスイオンの数が少ない電気使用量低減部材１でも効果があることが理解される。更に、実施例４でも、比較例４と比較して電気使用量が約２９％低減させており、マイナスイオンの数が少ない電気使用量低減部材１でも固定する数を増やせば、マイナスイオンの数が多い電気使用量低減部材１に匹敵する電気使用量低減効果を得られることが理解される。
【００６２】
このように、本考案に係る電気使用量低減部材は、電気製品２０の電気使用量を低減させる電気使用量低減部材１であって、内部に、粒子径が０．１μｍ〜１０００μｍの範囲内であるラジウム鉱石の微粒子１０のみを充填した小型で薄肉の密封容器１１からなり、前記密封容器１１の所定の外表面１１Ｓが、前記電気製品２０に電流を供給する電線２１の外装２２の外表面２２Ｓに固定されることを特徴とする。
【００６３】
これにより、電気製品２０の電気使用量を効果的に低減させることが可能となる。
【００６４】
尚、本考案の実施例では、前記電気使用量低減部材１を、前記電気製品２０に電気的に接続される電線２１が集中するブレーカ２２（主電源又は副電源）に固定するよう構成したが、他の構成、例えば、前記電気製品２０のアダプタでも直接電線２１の外表面（外装２２）でも構わない。
【００６５】
又、前記電気製品２０は、個人用、家庭用であったが、遊戯用、工業用、医療用、運輸用、航空用、宇宙産業用の分野における電気製品であっても、同様の作用効果を奏する。
【産業上の利用可能性】
【００６６】
以上のように、本考案に係る電気使用量低減部材は、あらゆる分野における電気製品で使用される電気使用量低減部材として有用であり、電気製品の電気使用量を効果的に低減させることが可能な電気使用量低減部材として有効である。
【符号の説明】
【００６７】
１  電気使用量低減部材
１０  ラジウム鉱石の微粒子
１１  密封容器
２０  電気製品
２１  電線
２２  外装
【図１】
0003180807.tif 000003
【図２】
0003180807.tif 000004
【図３】
0003180807.tif 000005
【図４】
0003180807.tif 000006